(57)【特許請求の範囲】
【請求項１】
上面に原稿が載置される透明部材が設けられた原稿載置台と、
上記原稿載置台に設けられており、上記透明部材を介して原稿の画像読取りを行う読取部と、
上記原稿載置台に設けられており、上記透明部材を露出する第１姿勢、及び上記透明部材を覆う第２姿勢の間で姿勢変化可能なカバー部材と、を備えており、
上記カバー部材は、
ケーシングと、
上記第２姿勢における上記ケーシングの下面側に設けられており、薄板部材を収納可能な上記ケーシングとの間の空間の開口が露出される第３姿勢、及び当該開口が上記ケーシングに没入される第４姿勢に姿勢変化自在な収納部材と、を有し、
上記収納部材は、
上記ケーシングと係合可能な第１係合部を備え、
上記ケーシングは、
上記第１係合部を上下方向に摺動可能であって、上記第３姿勢の上記収納部材の上記第１係合部と係合可能な第１被係合部を備え、
上記カバー部材が上記第１姿勢において、上記第１係合部と上記第１被係合部とが係合して、上記収納部材は上記第３姿勢を維持し、上記カバー部材が上記第２姿勢において、上記原稿載置台と上記収納部材とが当接して、上記収納部材は上記第４姿勢を維持する画像読取装置。
【請求項２】
上記収納部材は、
上記第１係合部よりも上記開口から離間した位置において上記ケーシングと係合可能な第２係合部を備え、
上記ケーシングは、
上記第２係合部を上下方向に摺動可能であって、上記第３姿勢の上記収納部材の上記第２係合部と係合可能な第２被係合部を備え、
上記カバー部材が上記第３姿勢から上記第４姿勢に姿勢変化する場合において、上記第１係合部の摺動量は上記第２係合部の摺動量よりも大きい請求項１に記載の画像読取装置。
【請求項３】
上記第１係合部及び上記第２係合部は、上記薄板部材の上記開口への挿入向きに沿って延びた側面であって、上記薄板部材の側端をガイド可能な側面に設けられた請求項２に記載の画像読取装置。
【請求項４】
上面に原稿が載置される透明部材が設けられた原稿載置台と、
上記原稿載置台に設けられており、上記透明部材を介して原稿の画像読取りを行う読取部と、
上記原稿載置台に設けられており、上記透明部材を露出する第１姿勢、及び上記透明部材を覆う第２姿勢の間で姿勢変化可能なカバー部材と、を備えており、
上記カバー部材は、
ケーシングと、
上記第２姿勢における上記ケーシングの下面側に設けられており、薄板部材を収納可能な上記ケーシングとの間の空間の開口が露出される第３姿勢、及び当該開口が上記ケーシングに没入される第４姿勢に姿勢変化自在な収納部材と、を有し、
上記収納部材において上記開口が形成された側端部は、上記ケーシングの側面と上記薄板部材の上記開口への挿入向きにおいて間隔を空けて設けられている画像読取装置。
【請求項５】
上記カバー部材は、上記開口に対して上記薄板部材の上記開口への挿入向きとは反対側を軸として上記原稿載置台に回動可能に設けられており、
上記カバー部材が上記第１姿勢において、上記第３姿勢の上記収納部材に収納された上記薄板部材の上記挿入向き先端部は、上記ケーシングの側面部によって支持される請求項１から４のいずれかに記載の画像読取装置。
【請求項６】
上記ケーシングには、上記開口が形成されている側面と同じ側に、上記カバー部材を姿勢変化させるために把持される把持部が形成されている請求項１から５のいずれかに記載の画像読取装置。
【請求項７】
上記ケーシングは、上記収納部材が設けられていない領域に、上記読取部による画像の読み取り位置まで用紙を搬送する搬送装置を備えている請求項１から６のいずれかに記載の画像読取装置。
【請求項８】
請求項１から７のいずれかに記載の画像読取装置と、
上記画像読取装置によって読み取られた上記原稿の画像を被記録媒体に記録する記録部と、を備え、
上記薄板部材は、上記記録部によって画像が記録される被記録媒体を載置可能なトレイであって、
上記トレイの挿入向きの先端部及び後端部の上面及び下面の少なくとも１面には、凹部が設けられている画像記録装置。
【発明の詳細な説明】
【技術分野】
【０００１】
本発明は、透明部材に載置された原稿の画像の読み取りが可能な画像読取装置、及び当該画像読取装置を備えた画像記録装置に関する。
【背景技術】
【０００２】
従来より、ガラス板などの透明部材に原稿を載置して、当該原稿の画像を読み取る画像読取装置が知られている。また、入力信号に基づいて被記録媒体に画像記録を行う画像記録装置が知られている。
【０００３】
上述の画像読取装置には、フィルムなどの透過原稿を読み取ることができるものがある。この場合、透過原稿は、薄板形状のフィルムホルダに保持されて、透明部材に載置される。
【０００４】
また、上述の画像記録装置において画像記録が行われる被記録媒体には、記録用紙などのシート状の被記録媒体の他、ＣＤやＤＶＤなどの剛性の高い被記録媒体も提案されている。一般に、剛性の高い被記録媒体に画像記録が行われる際、当該被記録媒体は薄板形状のトレイにセットされる。当該トレイは、画像記録装置に設けられた開口から挿入され、画像記録装置内を搬送される。このような画像記録装置の一例が、特許文献１に開示されている。
【先行技術文献】
【特許文献】
【０００５】
【特許文献１】特開２００４−４２３８４号公報
【発明の概要】
【発明が解決しようとする課題】
【０００６】
上述したフィルムホルダやトレイなどの薄板部材は、透過原稿を読み取るとき、或いは剛性の高い被記録媒体に画像を記録するときにのみ使用される。また、薄板部材は、画像読取装置や画像記録装置とは別個の物体である。よって、通常、薄板部材は、不使用時に、画像読取装置や画像記録装置とは異なる場所に保管される必要がある。そのため、薄板部材は紛失される可能性が高くなってしまう。
【０００７】
本発明は、上記問題に鑑みてなされたものであり、その目的は、画像読取或いは画像記録に使用される薄板部材を、当該薄板部材が使用される装置内に収納することができ、しかも当該収納に必要なユーザの操作が必要最小限で済む構造を提供することにある。
【課題を解決するための手段】
【０００８】
(1)  本発明の画像読取装置は、上面に原稿が載置される透明部材が設けられた原稿載置台と、上記原稿載置台に設けられており、上記透明部材を介して原稿の画像読取りを行う読取部と、上記原稿載置台に設けられており、上記透明部材を露出する第１姿勢、及び上記透明部材を覆う第２姿勢の間で姿勢変化可能なカバー部材と、を備えている。上記カバー部材は、ケーシングと、上記第２姿勢における上記ケーシングの下面側に設けられており、上記ケーシングの側面よりも下面側に突出して薄板部材を収納可能な空間の開口が露出される第３姿勢、及び当該開口が上記ケーシングに没入される第４姿勢に姿勢変化自在な収納部材と、を有する。
【０００９】
カバー部材が第２姿勢から第１姿勢に姿勢変化されると、収納部材は自重によって第４姿勢から第３姿勢に姿勢変化される。これにより、ケーシングの下側に、収納部材の開口が露出される。画像読取装置のユーザは露出された開口に薄板部材を挿入することができる。つまり、本構成によれば、画像読取装置のユーザは、カバー部材を第２姿勢から第１姿勢に姿勢変化させる簡易な操作のみで、画像読取装置の状態を、薄板部材を収納部材に収納可能な状態とすることができる。つまり、本構成によれは、薄板部材を装置内に収納するための操作性を良好にすることができる。
【００１０】
(2)  上記収納部材は、上記ケーシングと係合可能な第１係合部を備えている。上記ケーシングは、上記第１係合部を上下方向に摺動可能であって、上記第３姿勢の上記収納部材の上記第１係合部と係合可能な第１被係合部を備えている。上記カバー部材が上記第１姿勢において、上記第１係合部と上記第１被係合部とが係合して、上記収納部材は上記第３姿勢を維持し、上記カバー部材が上記第２姿勢において、上記原稿載置台と上記収納部材とが当接して、上記収納部材は上記第４姿勢を維持する。
【００１１】
本構成によれば、第１係合部は上下方向に摺動する。これにより、カバー部材が第２姿勢から第１姿勢に姿勢変化された場合に、収納部材は自重によって第４姿勢から第３姿勢に姿勢変化可能である。また、カバー部材が第１姿勢から第２姿勢に姿勢変化された場合、収納部材は原稿載置台の上面に押されることによって第３姿勢から第４姿勢に姿勢変化される。つまり、本構成は、上記（１）の作用及び効果を実現するための好適な構成である。
【００１２】
(3)  上記収納部材は、上記第１係合部よりも上記開口から離間した位置において上記ケーシングと係合可能な第２係合部を備えている。上記ケーシングは、上記第２係合部を上下方向に摺動可能であって、上記第３姿勢の上記収納部材の上記第２係合部と係合可能な第２被係合部を備えている。上記カバー部材が上記第３姿勢から上記第４姿勢に姿勢変化する場合における、上記第１係合部及び上記第２係合部の摺動量は、上記第１係合部の摺動量が上記第２係合部の摺動量よりも大きい。
【００１３】
本構成によれば、第１係合部の摺動量は第２係合部の摺動量よりも大きい。これにより、収納部材は、開口から離間した側を軸として回動する。これにより、カバー部材が第２姿勢から第１姿勢に姿勢変化された場合に、収納部材は自重によって第４姿勢から第３姿勢に姿勢変化される。つまり、本構成は、上記（１）の作用及び効果を実現するための好適な構成である。
【００１４】
(4)  上記第１係合部及び上記第２係合部は、上記薄板部材の上記開口への挿入向きに沿って延びた側面であって、上記薄板部材の側端をガイド可能な側面に設けられいてもよい。このような構成も、上記（３）と同様に、上記（１）の作用及び効果を実現するための好適な構成である。
【００１５】
(5)  上記収納部材において上記開口が形成された側端部は、上記ケーシングの側面と上記薄板部材の上記開口への挿入向きにおいて間隔を空けて設けられている。
【００１６】
本構成によれば、薄板部材は、収納部材に収納された状態で、その一部が開口から突出されることが可能である。これにより、画像読取装置のユーザは、薄板部材の突出された部分を摘むことによって、薄板部材を収納部材から容易に取り出すことができる。
【００１７】
(6)  上記カバー部材は、上記開口に対して上記薄板部材の上記開口への挿入向きとは反対側を軸として上記原稿載置台に回動可能に設けられている。上記カバー部材が上記第１姿勢において、上記第３姿勢の上記収納部材に収納された上記薄板部材の上記挿入向き先端部は、上記ケーシングの側面部によって支持される。
【００１８】
本構成によれば、カバー部材が第１姿勢のときに、薄板部材は、収納部材によって支持されるとともに、ケーシングによっても支持される。これにより、薄板部材は、収納部材の内部において安定して保持される。そのため、薄板部材が変形する可能性を低くすることができる。
【００１９】
(7)  上記ケーシングには、上記開口が形成されている側面と同じ側に、上記カバー部材を姿勢変化させるために把持される把持部が形成されている。
【００２０】
把持部と開口が異なる側に形成されている場合、画像読取装置のユーザは、把持部を把持してカバー部材を姿勢変化させた後、薄板部材を開口から挿入するために、立ち位置をかえたり、薄板部材を持つ手を動かしたりする動作をする必要がある。しかし、本構成によれば、把持部と開口が同じ側に形成されている。よって、画像読取装置のユーザは、把持部を把持してカバー部材を姿勢変化させた後、上記よりも少ない動作で薄板部材を収納部材に収納したり、薄板部材を収納部材から取り出したりすることができる。
【００２１】
(8)  上記ケーシングは、上記収納部材が設けられていない領域に、上記読取部による画像の読み取り位置まで用紙を搬送する搬送装置を備えていてもよい。
【００２２】
(9)  本発明の画像記録装置は、上記画像読取装置と、上記画像読取装置によって読み取られた上記原稿の画像を被記録媒体に記録する記録部と、を備えている。上記薄板部材は、上記記録部によって画像が記録される被記録媒体を載置可能なトレイである。上記トレイの挿入向きの先端部及び後端部の上面及び下面の少なくとも１面には、凹部が設けられている。
【００２３】
近年の画像記録装置の多くは、ＣＤやＤＶＤなど剛性の高い被記録媒体に画像を記録可能である。一般に、剛性の高い被記録媒体に画像記録が行われる際、当該被記録媒体は薄板形状のトレイにセットされる。当該トレイは、画像記録装置とは別個の物体であり、紛失し易い。つまり、本構成は、上記（１）乃至（６）の作用及び効果を実現するための好適な構成である。
【００２４】
また、本構成によれば、トレイの挿入向きの先端部及び後端部の上面及び下面の少なくとも１面には、凹部が設けられている。よって、トレイが、先端部を先頭として収納部材に挿入された場合はもちろん、後端部を先頭として収納部材に挿入された場合であっても、画像記録装置のユーザは、収納部材に収納されたトレイを、凹部を掴むことによって容易に取り出すことができる。
【発明の効果】
【００２５】
本発明においては、画像記録装置のユーザは、カバー部材を第２姿勢から第１姿勢に姿勢変化させる簡易な操作のみで、画像記録装置の状態を、薄板部材を装置内に収納可能な状態とすることができる。つまり、本発明においては、画像読取或いは画像記録に使用される薄板部材を、当該薄板部材が使用される装置内に収納することができ、しかも当該収納に必要なユーザの操作が必要最小限で済む。
【図面の簡単な説明】
【００２６】
【図１】図１は、本発明の実施形態の一例である複合機１０が示されており、（Ａ）は外観斜視図であり、（Ｂ）は縦断面図である。
【図２】図２は、メディアトレイ７１の平面図である。
【図３】図３は、複合機１０の平面図である。
【図４】図４は、メディアトレイ７１が収納されていない状態で原稿カバー２４が開かれた複合機１０が示されており、（Ａ）は外観斜視図であり、（Ｂ）は縦断面図である。
【図５】図５は、メディアトレイ７１が収納されている状態で原稿カバー２４が開かれた複合機１０が示されており、（Ａ）は外観斜視図であり、（Ｂ）は縦断面図である。
【図６】図６は、原稿カバー２４が最大限開かれた複合機１０の外観斜視図である。
【図７】図７は、収納部材２８の外観斜視図である。
【図８】図８は、原稿カバー２４の縦断面図であり、（Ａ）には収納部材２８が没入姿勢である状態が示されており、（Ｂ）には収納部材２８が露出姿勢である状態が示されている。
【発明を実施するための形態】
【００２７】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、ベクトルにおいて矢印を考慮して起点から終点に向かう進みが向きと表現され、ベクトルにおいて矢印を考慮せずに起点と終点とを結ぶ線上の往来が方向と表現される。また、以下の説明では、複合機１０が使用可能に設置された状態（図１（Ａ）の状態）を基準として上下方向７が定義され、本体開口１３が設けられている側を手前側（正面）として前後方向８が定義され、複合機１０を手前側（正面）から見て左右方向９が定義される。
【００２８】
［複合機１０］
図１に示されるように、複合機１０は、概ね薄型の直方体に形成されている。複合機１０は、その上部に、記録用紙などの原稿（本発明の原稿の一例）に記録された画像をイメージセンサ（不図示、本発明の読取部の一例）によって読み取って画像データを取得するスキャナ部１２（本発明の画像読取装置の一例）を備えている。また、複合機１０は、その下部に、上記画像データなどに基づいて、ＣＤ−ＲＯＭやＤＶＤ−ＲＯＭなどの記録メディア（不図示、本発明の被記録媒体の一例）の盤面上に画像を記録するプリンタ部１１（本発明の画像記録装置の一例）を備えている。複合機１０は、正面に本体開口１３が形成された筐体１４を有している。給紙トレイ２０及び排紙トレイ２１が、本体開口１３から前後方向８に挿抜可能である。給紙トレイ２０には、所望のサイズの記録用紙が載置される。
【００２９】
［プリンタ部１１］
プリンタ部１１は、記録メディアが載置されたメディアトレイ７１（図２参照、本発明の薄板部材の一例であり、且つ本発明の薄板部材の一例であるトレイに相当）が通過する搬送路（不図示）と、搬送路に設けられており、メディアトレイ７１を搬送する少なくとも一つのローラ対（不図示）と、外部機器から受信した画像データ、或いはスキャナ部１２によって原稿から読み取られた画像データなどに基づいて、記録メディア（不図示、本発明の被記録媒体の一例）の盤面上に画像を記録するインクジェット記録方式の記録部（不図示、本発明の記録部の一例）と、を備えている。なお、記録部は、インクジェット記録方式に限らず、例えば電子写真方式であってもよい。
【００３０】
［メディアトレイ］
図２に示されるように、メディアトレイ７１は薄板形状の樹脂板である。メディアトレイ７１は、上面７２を上側にして本体開口１３から後向きに複合機１０に挿入される。メディアトレイ７１は、ローラ対によって、本体開口１３から搬送路に沿って搬送される。なお、図２においては、メディアトレイ７１が本体開口１３から複合機１０に挿入された状態で、前後方向８及び左右方向９が定義される。
【００３１】
メディアトレイ７１の上面７２側には、記録メディアを載置可能なメディア載置部７０が形成されている。メディア載置部７０は、円形状の凹みである。当該凹みの直径は、載置される記録メディア（円形のＣＤ−ＲＯＭやＤＶＤ−ＲＯＭなど）の直径と同一または少しだけ大きい。また、円形の嵌合部７３が、当該凹みの中央部から上側に突出して形成されている。円形のＣＤ−ＲＯＭやＤＶＤ−ＲＯＭなどには、通常、中央部分に円形の孔が設けられている。嵌合部７３は、当該孔と略同一の大きさであり、当該孔と嵌合する。これにより、記録メディアがメディア載置部７０に載置された場合に、記録メディアは前後方向８及び左右方向９にずれない。
【００３２】
メディアトレイ７１の上面７２の前端部及び後端部には、上面７２から下面側に凹んだ凹部７４（本発明の凹部の一例）が形成されている。本実施形態において、凹部７４は、メディアトレイ７１の左右方向９における中央部に形成されている。なお、凹部７４は、メディアトレイ７１の下面の前端部及び後端部に形成されていてもよい。この場合、凹部７４は、下面から上面側に凹んでいる。また、凹部７４は、メディアトレイ７１の上面７２及び下面の双方に形成されていてもよい。つまり、凹部７４は、メディアトレイ７１の上面７２または下面の少なくとも一方に形成されている。
【００３３】
［搬送路］
搬送路は、本体開口１３から後向きに延設された直線状の通路である。搬送路は、所定間隔を隔てて互いに対向する２つのガイド部材（不図示）によって上下方向７の空間が区画されることにより形成されている。
【００３４】
［ローラ対］
ローラ対は、搬送路の上側に配置された上側ローラ（不図示）と、搬送路の下側に上側ローラに対向して配置された下側ローラとを備えている。ローラ対は、メディアトレイ７１を挟持して、メディアトレイ７１を搬送路に沿って前後方向８に搬送する。
【００３５】
［記録部］
記録部は、搬送路の上側に配置されている。記録部は、搬送路に対向可能な位置に設けられた記録ヘッド（不図示）と、記録ヘッドを搭載したキャリッジ（不図示）とを備えている。記録ヘッドには、インクカートリッジ（不図示）から供給されたインクを搬送路に向けて吐出するための複数のノズルが形成されている。キャリッジは、左右方向９に往復移動可能に構成されている。キャリッジが左右方向９へ往復移動されながら、インクがノズルから搬送路に沿って搬送される記録メディアに吐出される。これにより、記録メディアに画像が記録される。
【００３６】
［スキャナ部１２］
図６に示されるように、スキャナ部１２は、フラットベッドスキャナ（ＦＢＳ：Flat Bed Scanner）として機能する原稿台２２（本発明の原稿載置台の一例）を備える。原稿台２２は、原稿が載置されるプラテンガラス２３（本発明の透明部材の一例）を有している。ＦＢＳを用いて読み取られる原稿は、プラテンガラス２３に載置される。
【００３７】
スキャナ部１２には、原稿台２２の上側に配置されており、プラテンガラス２３を覆うように原稿台２２に対して開閉自在な原稿カバー２４（本発明のカバー部材の一例）が設けられている。原稿カバー２４は、原稿台２２の背面側の蝶番２５を介して原稿台２２と連結されている。
【００３８】
原稿台２２の上面には、原稿が載置されるプラテンガラス２３が設けられている。プラテンガラス２３は、１枚の透明なガラス板やアクリル板などからなる透過板である。原稿台２２の内部、つまりプラテンガラス２３の下側には、イメージセンサが設けられている。プラテンガラス２３に載置された原稿の画像は、イメージセンサによって読み取られる。
【００３９】
図１、図４、及び図６に示されるように、原稿カバー２４は、原稿台２２に開閉自在に設けられている。原稿カバー２４は、原稿台２２に対して閉じられる閉姿勢（図１参照、本発明の第２姿勢に相当）、及び原稿台２２に対して開かれる開姿勢（図４及び図６参照、本発明の第１姿勢に相当）の間で姿勢変化可能である。例えば、原稿カバー２４は、蝶番２５を軸として矢印１６（図４（Ｂ）参照）の方向に回動することによって、姿勢変化される。
【００４０】
図１に示されるように、原稿カバー２４が閉姿勢をとると、プラテンガラス２３は原稿カバー２４に覆われる。図４及び図６に示されるように、原稿カバー２４が開姿勢をとると、プラテンガラス２３の上面が開放される。つまり、プラテンガラス２３が露出される。この状態で、ユーザは、原稿の読取面が下向きとなるようにプラテンガラス２３に原稿を載置する。原稿カバー２４の下面（詳細には後述される収納部材２８の下面）には、プラテンガラス２３を覆うように原稿押さえ２６（図６参照）が設けられている。原稿押さえ２６は、プラテンガラス２３上に載置された原稿を押さえるために、スポンジ及び白板等から構成されている。原稿カバー２４が閉じられると、プラテンガラス２３に載置された原稿は、原稿カバー２４により原稿押さえ２６を介してプラテンガラス２３へ向けて押圧される。この状態で、イメージセンサがプラテンガラス２３に沿って走査され、原稿の画像読み取りが行われる。
【００４１】
図１及び図６に示されるように、原稿カバー２４のケーシング２７（本発明のケーシングの一例）には、ＡＤＦ（Auto Document Feeder）１９（本発明の搬送装置の一例）が設けられている。ＡＤＦ１９は、ケーシング２７において、後述される収納部材２８が設けられていない領域に設けられている。換言すると、ＡＤＦ１９は、ケーシング２７の内部空間のうち、収納部材２８が配置されている空間以外の空間に設けられている。ＡＤＦ１９は、原稿カバー２４が閉じられた状態で使用される。ＡＤＦ１９は、原稿カバー２４の上板２９の一部を上方に回動させることによって露出される原稿搬送口（不図示）から挿入された原稿を、原稿カバー２４の内部に形成された原稿搬送路（不図示）に沿って、原稿台２２の上面に形成されたイメージセンサによる画像の読み取り位置１８（図６参照、本発明の読み取り位置に相当）へ搬送するものである。なお、原稿は、搬送ローラ１７（図６参照）によって原稿搬送路に沿って搬送される。ＡＤＦ１９により搬送される原稿の読み取りが行われる場合、後述するＣＩＳ（不図示）が読み取り位置１８の下方に待機する。この状態で、原稿が上記原稿搬送路に沿って搬送される。その過程でイメージセンサによる原稿の読取動作が行われる。
【００４２】
原稿台２２の内部にイメージセンサが配置されている。イメージセンサは、プラテンガラス２３を介して原稿の画像を読取る。イメージセンサは、ＣＩＳ、キャリッジ、及び走査機構から構成されている。ＣＩＳは、光源、レンズ、及び受光素子を備える。ＣＩＳは、光源から原稿へ時分割に光を照射して原稿からの反射光を読み取る。具体的には、ＣＩＳは、光源からプラテンガラス２３を介して原稿に光を照射し、当該原稿からの反射光をレンズにより受光素子に集光して電気信号（画像信号）に変換する。受光素子は、例えばチップ単位で原稿の主走査方向（前後方向８）に並べて配置されている。光源及びレンズは、受光素子と同方向に配列されている。本実施形態において、光源は、レッド（Ｒ）・グリーン（Ｇ）・ブルー（Ｂ）の３色の発光素子（発光ダイオード：ＬＥＤ）を備えている。ＣＩＳは、これら３色の発光素子を順に点灯させて原稿へ時分割に光を照射し、原稿からの反射光を原稿のカラー画像として読み取る。このように構成されたＣＩＳは、プラテンガラス２３に沿って原稿の副走査方向（左右方向９）へ往復動するキャリッジに搭載されている。キャリッジの移動により、ＣＩＳがプラテンガラス２３上の原稿に対して相対的に移動される。
【００４３】
［原稿カバー２４］
図３〜図５、及び図８に示されるように、原稿カバー２４は、ケーシング２７と、ケーシング２７に取り付けられており、内部にメディアトレイ７１を収納可能な収納部材２８（本発明の収納部材の一例）とを備えている。
【００４４】
［ケーシング２７］
図３〜図５、及び図８に示されるように、ケーシング２７は、下側が開放された概ね薄型の直方体に形成されている。ケーシング２７は、上板２９と、上板２９の下面から概ね下向きに立設された複数の側板とを備えている。本実施形態において、複数の側板は、上板２９の前端において左右方向９に沿って概ね下向きに立設された前側板３０、上板２９の右端において前後方向８に沿って概ね下向きに立設された右側板３１、上板２９の左端において前後方向８に沿って概ね下向きに立設された左側板３２、及び上板２９の後端において左右方向９に沿って概ね下向きに立設された後側板３３である。前側板３０の右端は、右側板３１の前端と接合されている。前側板３０の左端は、左側板３２の前端と接合されている。後側板３３の右端は、右側板３１の後端と接合されている。後側板３３の左端は、左側板３２の後端と接合されている。
【００４５】
図１（Ａ）に示される状態において、ケーシング２７の上板２９の左右方向９の長さは、メディアトレイ７１（図２参照）の左右方向９の長さよりも長い。また、ケーシング２７の上板２９の前後方向８の長さは、メディアトレイ７１の前後方向８の長さよりも長い。また、ケーシング２７の各側板３０、３１、３２、３３の上下方向７の長さは、メディアトレイ７１の上下方向７の長さよりも長い。つまり、ケーシング２７は、メディアトレイ７１よりも大きく構成されている。
【００４６】
図３〜図５に示されるように、ケーシング２７の前側板３０には、前側板３０から概ね後向きに凹んだ把持部３４（本発明の把持部の一例）が形成されている。把持部３４は、左右方向９において、前側板３０の中央部に形成されている。また、把持部３４は、上下方向７において、前側板３０の中央から下端までに亘って形成されている。複合機１０のユーザは、原稿カバー２４を閉姿勢及び開姿勢の間で姿勢変化させる際に、把持部３４に手を入れることによって、原稿カバー２４を把持する。これにより、上記姿勢変化が容易に実行可能となる。
【００４７】
［収納部材２８］
図１（Ｂ）、図４〜図６、及び図８に示されるように、収納部材２８が、ケーシング２７の下側、詳細にはケーシング２７の上板２９の下面側に取り付けられている。
【００４８】
図７には、収納部材２８がケーシング２７から取り外された状態が示されている。なお、図７においては、収納部材２８が、原稿カバー２４が閉姿勢の状態で、ケーシング２７に取り付けられた状態であるとして、上下方向７、前後方向８、及び左右方向９が定義される。
【００４９】
図７に示されるように、収納部材２８は、底板３５と、底板３５の上面から上向きに立設された複数の立設板とを備えている。本実施形態において、複数の立設板は、底板３５の右端において前後方向８に沿って上向きに立設された第１立設板３６、底板３５の左右方向９における中央やや左において前後方向８に沿って上向きに立設された第２立設板３７、底板３５の前端において左右方向９に沿って上向きに立設された第３立設板３８、及び底板３５の後端において左右方向９に沿って上向きに立設された第４立設板３９である。第３立設板３８及び第４立設板３９は、第２立設板３７よりも左側に形成されている。なお、図７において、第２立設板３７及び第４立設板３９が複数形成されているが、第２立設板３７及び第４立設板３９は１つであってもよい。
【００５０】
第１立設板３６の前端近傍及び前後方向８における中央部には、第１立設板３６の上端近傍から左向きに突設された突起４９が形成されている。また、第２立設板３７の前端には、第２立設板３７の上端近傍から右向きに突設された突起５０が形成されている。
【００５１】
第１立設板３６の前端近傍には、第１立設板３６の上端から立設された鉤爪状の第１係合部４０（本発明の第１係合部の一例）が形成されている。また、第１立設板３６の後端近傍には、第１立設板３６の上端から立設された鉤爪状の第２係合部４１（本発明の第２係合部の一例）が形成されている。換言すると、第２係合部４１は、第１係合部４０よりも後述される開口４８（図４参照）から離間した位置に形成されている。また、第３立設板３８の右端近傍及び左右方向９における中央やや左には、第３立設板３８の上端から立設された鉤爪状の第３係合部４２（本発明の第１係合部の一例）が形成されている。また、第４立設板３９の左右方向９における中央付近には、第４立設板３９の上端から立設された鉤爪状の第４係合部４３（本発明の第２係合部の一例）が形成されている。
【００５２】
［収納部材２８のケーシング２７への取り付け］
図６及び図８に示されるように、ケーシング２７の右側板３１の左側には、上板２９から右側板３１と平行に立設された第２右側板４４が形成されている。第２右側板４４の前端近傍には、第１前側開口４５（本発明の第１被係合部の一例）が形成されている。第２右側板４４の後端近傍には、第１後側開口４６（本発明の第２被係合部の一例）が形成されている。また、ケーシング２７の前側板３０の左後側には、上板２９から前側板３０と平行に立設された第２前側板（不図示）が形成されている。第２前側板には、第２前側開口（不図示、本発明の第１被係合部の一例）が形成されている。ケーシング２７の後側板３３の左前側には、上板２９から後側板３３と平行に立設された第２後側板（不図示）が形成されている。第２後側板には、第２後側開口（不図示、本発明の第２被係合部の一例）が形成されている。
【００５３】
そして、図８に示されるように、第１係合部４０が第１前側開口４５に挿通され、第２係合部４１が第１後側開口４６に挿通される。また、第３係合部４２が第２前側開口に挿通され、第４係合部４３が第２後側開口に挿通される。これにより、図１（Ｂ）、図４〜図６、及び図８に示されるように、収納部材２８がケーシング２７に取り付けられる。
【００５４】
［収納部材２８へのメディアトレイ７１の収納］
収納部材２８がケーシング２７に取り付けられた状態においては、収納部材２８の底板３５、第１立設板３６、及び第２立設板３７（図７参照）と、ケーシング２７の上板２９（図３参照）の下面によって、空間（本発明の空間に相当）が区画される。また、図４及び図８に示されるように、当該空間への開口４８（本発明の開口に相当）が形成される。開口４８は、複合機１０の前側に形成される。つまり、開口４８は、ケーシング２７の把持部３４（図４参照）が形成されている側面である前側板３０と同じ側に形成されている。
【００５５】
ここで、第１立設板３６及び第２立設板３７（図７参照）の左右方向９の距離は、メディアトレイ７１（図２参照）の左右方向９の長さと同じまたは若干大きい。また、突起４９、５０の下端と底板３５との距離（図７参照）は、メディアトレイ７１の厚さ、つまり上下方向７の長さと同じまたは若干大きい。これにより、メディアトレイ７１は、収納部材２８に対して、開口４８から挿抜可能である。
【００５６】
また、収納部材２８がケーシング２７に取り付けられた状態において、ケーシング２７の後側板３３（本発明のケーシング２７の側面部の一例）は、収納部材２８の底板３５（図７参照）の後端近傍に位置する。これにより、開口４８から収納部材２８に挿入されたメディアトレイ７１の当該挿入の向きの先端部は、後側板３３に当接する。この状態において、原稿カバー２４が開姿勢（図４参照）に姿勢変化されると、メディアトレイ７１は、その先端を後側板３３に支持され、その下面を底板３５に支持された状態となる。
【００５７】
また、底板３５の前後方向８の長さは、メディアトレイ７１の前後方向８の長さよりも若干短い。また、図８（Ａ）に示されるように、収納部材２８がケーシング２７に取り付けられた状態において、収納部材２８の前端部（底板３５の前端及び第３立設板３８の前面、本発明の側端部に相当）とケーシング２７の前側板３０との間には、メディアトレイ７１が収納部材２８に挿入される向きに、間隔Ａ（本発明の間隔に相当）が形成される。以上より、図８に示されるように、メディアトレイ７１が収納部材２８に収納された状態において、メディアトレイ７１の後端部分が開口４８から前側に突出する。
【００５８】
［収納部材２８の回動］
図８に示されるように、収納部材２８がケーシング２７に取り付けられた状態において、第１係合部４０及び第２係合部４１は、第１前側開口４５及び第１後側開口４６に沿って摺動される。また、第３係合部４２及び第４係合部４３は、第２前側開口及び第２後側開口に沿って摺動される。また、第１前側開口４５及び第２前側開口は、第１後側開口４６及び第２後側開口よりも上下方向７に長い。これにより、第１係合部４０及び第３係合部４２の摺動量は、第２係合部４１及び第４係合部４３の摺動量よりも大きくなる。その結果、図８（Ａ）に示されるように、ケーシング２７に取り付けられた収納部材２８は、矢印４７の方向に回動可能となる。
【００５９】
なお、第１係合部４０及び第２係合部４１が形成されている第１立設板３６は、メディアトレイ７１の開口４８への挿入向きに沿って延びた側面であって、メディアトレイ７１の側端をガイド可能な側面に相当する。つまり、第１係合部４０及び第２係合部４１は、当該側面に備えられている。
【００６０】
原稿カバー２４が、閉姿勢（図１及び図８（Ａ）参照）から開姿勢（図４、図５、及び図８（Ｂ）参照）に姿勢変化される場合、収納部材２８の各係合部４０〜４３は、自重によって、第１前側開口４５、第１後側開口４６、第２前側開口、及び第２後側開口に沿って下方へ摺動される。その結果、各係合部４０〜４３は、第１前側開口４５、第１後側開口４６、第２前側開口、及び第２後側開口の下端において、第２右側板４４、第２前側板、及び第２後側板と当接する。換言すると、各係合部４０〜４３と、第２右側板４４、第２前側板、及び第２後側板とは、互いに係合される。
【００６１】
つまり、図８（Ａ）に示されるように、収納部材２８は、矢印５１の向きに回動される。その結果、図８（Ｂ）に示されるように、収納部材２８は、露出姿勢（本発明の第３姿勢に相当）の状態となる。
【００６２】
図４、図５、及び図８（Ｂ）に示されるように、収納部材２８が露出姿勢である場合、収納部材２８は、ケーシング２７の前側板３０、右側板３１、左側板３２、第２右側板４４、及び第２前側板（以上の５つが本発明のケーシングの側面の一例）よりもケーシング２７の下面側に突出する。これにより、収納部材２８の開口４８が露出される。以上より、原稿カバー２４が開姿勢において、第１係合部４０と第１前側開口４５とが係合して、収納部材２８は露出姿勢を維持する。
【００６３】
原稿カバー２４が開姿勢（図４、図５、及び図８（Ｂ）参照）から閉姿勢（図１及び図８（Ａ）参照）に姿勢変化されると、原稿カバー２４の下面が原稿台２２の上面に当接した状態となる。以下に詳述する。原稿カバー２４が下方に回動されると、最初に、収納部材２８の下面に設けられた原稿押さえ２６が、原稿台２２の上面に露出されているプラテンガラス２３に当接する。これ以降、原稿カバー２４が下方に回動されても、収納部材２８は回動されず、ケーシング２７のみが回動される。そして、ケーシング２７が更に下方に回動されると、第１前側開口４５、第１後側開口４６、第２前側開口、及び第２後側開口が、収納部材２８の各係合部４０〜４３に対して摺動する。当該摺動は、ケーシング２７の下端（詳細にはケーシング２７の各側板３０〜３３の下端）が原稿台２２の上面に当接するまで、つまり原稿カバー２４が閉姿勢の状態となるまで、換言すると図１に示される状態となるまで継続される。
【００６４】
その結果、図８（Ａ）に示されるように、収納部材２８は、没入姿勢（本発明の第４姿勢に相当）の状態となる。
【００６５】
図１（Ｂ）及び図８（Ａ）に示されるように、収納部材２８が没入姿勢である場合、収納部材２８は、ケーシング２７の開放された下面側からケーシング２７の内部空間に入り込んでいる。つまり、収納部材２８に形成された開口４８は、ケーシング２７に没入されている。以上より、原稿カバー２４が閉姿勢において、原稿台２２と収納部材２８とが当接して、収納部材２８は没入姿勢を維持する。
【００６６】
なお、本実施形態においては、原稿カバー２４が閉姿勢である状態において、収納部材２８の各係合部４０〜４３は、第１前側開口４５、第１後側開口４６、第２前側開口、及び第２後側開口の上端に達していない。これにより、厚みのある原稿がプラテンガラス２３に載置された場合に、ケーシング２７が原稿台２２の上面に当接した状態を維持しつつ、収納部材２８は、プラテンガラス２３に載置された原稿の厚み分だけ上方に回動可能となる。
【００６７】
［実施形態の効果］
原稿カバー２４が閉姿勢から開姿勢に姿勢変化されると、収納部材２８は自重によって没入姿勢から露出姿勢に姿勢変化される。これにより、ケーシング２７の下側に、収納部材２８の開口４８が露出される。複合機１０のユーザは露出された開口４８にメディアトレイ７１を挿入することができる。つまり、本実施形態によれば、複合機１０のユーザは、原稿カバー２４を閉姿勢から開姿勢に姿勢変化させる簡易な操作のみで、複合機１０の状態を、メディアトレイ７１を収納部材２８に収納可能な状態とすることができる。つまり、本実施形態によれは、メディアトレイ７１を複合機１０の内部に収納するための操作性を良好にすることができる。
【００６８】
また、本実施形態によれば、第１係合部４０は上下方向７に摺動する。これにより、原稿カバー２４が閉姿勢から開姿勢に姿勢変化された場合に、収納部材２８は自重によって没入姿勢から露出姿勢に姿勢変化可能である。また、原稿カバー２４が開姿勢から閉姿勢に姿勢変化された場合、収納部材２８は原稿台２２の上面に押されることによって露出姿勢から没入姿勢に姿勢変化可能である。
【００６９】
また、本実施形態によれば、第１係合部４０の摺動量は第２係合部４１の摺動量よりも大きい。これにより、収納部材２８は、開口４８から離間した側を軸として回動する。これにより、原稿カバー２４が閉姿勢から開姿勢に姿勢変化された場合に、収納部材２８は自重によって没入姿勢から露出姿勢に姿勢変化可能である。
【００７０】
また、本実施形態によれば、メディアトレイ７１は、収納部材２８に収納された状態で、その一部が開口４８から突出されることが可能である。これにより、複合機１０のユーザは、メディアトレイ７１の突出された部分を摘むことによって、メディアトレイ７１を収納部材２８から容易に取り出すことができる。
【００７１】
また、本実施形態によれば、原稿カバー２４が開姿勢のときに、メディアトレイ７１は、収納部材２８によって支持されるとともに、ケーシング２７によっても支持される。これにより、メディアトレイ７１は、収納部材２８の内部において安定して保持される。そのため、メディアトレイ７１が変形する可能性を低くすることができる。
【００７２】
把持部３４と開口４８が異なる側に形成されている場合、複合機１０のユーザは、把持部３４を把持して原稿カバー２４を姿勢変化させた後、メディアトレイ７１を開口４８から挿入するために、立ち位置をかえたり、メディアトレイ７１を持つ手を動かしたりする動作をする必要がある。しかし、本実施形態によれば、把持部３４と開口４８が同じ側に形成されている。よって、複合機１０のユーザは、把持部３４を把持して原稿カバー２４を姿勢変化させた後、上記よりも少ない動作でメディアトレイ７１を収納部材２８に収納したり、メディアトレイ７１を収納部材２８から取り出したりすることができる。
【００７３】
近年の複合機１０の多くは、ＣＤやＤＶＤなど剛性の高い被記録媒体に画像を記録可能である。一般に、剛性の高い被記録媒体に画像記録が行われる際、当該被記録媒体はメディアトレイ７１にセットされる。メディアトレイ７１は、複合機１０とは別個の物体であり、紛失し易い。しかし、本実施形態によれば、メディアトレイ７１を収納部材２８に収納することによって、上記紛失の可能性を低くすることができる。
【００７４】
また、本実施形態によれば、メディアトレイ７１の挿入向きの先端部及び後端部の上面には、凹部７４が設けられている。よって、メディアトレイ７１が、先端部を先頭として収納部材２８に挿入された場合はもちろん、後端部を先頭として収納部材２８に挿入された場合であっても、複合機１０のユーザは、収納部材２８に収納されたメディアトレイ７１を、凹部７４を掴むことによって容易に取り出すことができる。
【００７５】
［実施形態の変形例１］
収納部材２８を回動させるための複合機１０の構成は、上述の実施形態において説明した構成に限らない。例えば、第１後側開口４６が円形孔であり、第２係合部４１が当該円形孔に挿通可能な円形の突起であってもよい。これにより、収納部材２８は、当該円形の突起を中心軸として回動可能となる。
【００７６】
［実施形態の変形例２］
上述の実施形態においては、収納部材２８は回動することによって姿勢変化した。しかし、収納部材２８は回動以外によって姿勢変化してもよい。例えば、収納部材２８は、ケーシング２７の上板２９の下面と直交する方向に移動することによって、姿勢変化してもよい。このような姿勢変化は、例えば、第１係合部４０及び第３係合部４２の摺動量が第２係合部４１及び第４係合部４３の摺動量と同じにされることによって、実現可能である。
【００７７】
［実施形態の変形例３］
上述の実施形態のおいては、メディアトレイ７１が収納部材２８に収納される構成が説明された。しかし、収納部材２８に収納される部材は、メディアトレイ７１に限らない。例えば、収納部材２８に収納される部材は、フィルムホルダであってもよい。ここで、フィルムホルダは、薄板形状であり、フィルムなどの透過原稿がセットされるものである。当該透過原稿がセットされたフィルムホルダは、プラテンガラス２３に載置される。その状態において、透過原稿がイメージセンサによって読み取られる。つまり、変形例３におけるフィルムホルダも、メディアトレイ７１と同様に、本発明の薄板部材の一例である。
【００７８】
［実施形態の変形例４］
上述の実施形態のおいては、開口４８及び把持部３４が複合機１０の前側に形成された構成が説明されたが、開口４８及び把持部３４は複合機１０の前側以外に設けられてもいてもよい。例えば、開口４８及び把持部３４は、複合機１０の左側または右側に形成されてもよい。また、開口４８及び把持部３４は異なる側に形成されていてもよい。例えば、把持部３４が複合機１０の左側に設けられ、その一方で、開口４８が複合機１０の前側において露出されるように形成されていてもよい。
【符号の説明】
【００７９】
１１・・・プリンタ部
１２・・・スキャナ部
１９・・・ＡＤＦ
２２・・・原稿台
２３・・・プラテンガラス
２４・・・原稿カバー
２７・・・ケーシング
２８・・・収納部材
３４・・・把持部
４０・・・第１係合部
４１・・・第２係合部
４５・・・第１前側開口
４６・・・第２前側開口
４８・・・開口
７１・・・メディアトレイ
【図１】
0005636978.tif 000002
【図２】
0005636978.tif 000003
【図３】
0005636978.tif 000004
【図４】
0005636978.tif 000005
【図５】
0005636978.tif 000006
【図６】
0005636978.tif 000007
【図７】
0005636978.tif 000008
【図８】
0005636978.tif 000009